(57)【特許請求の範囲】
【請求項１】
通信網における呼処理装置と、着信者側に対する課金制御を行う着信課金制御サーバと、Ｗｅｂメールサーバと、インターネット網及び通信網の両方に接続される複数の利用者端末とからなり、電話の着信者側に対して課金を行う着信課金システムであって、
前記Ｗｅｂメールサーバは、
着信側の端末Ａからの操作により、該端末Ａのメールアドレス、宛先となる発信者側の端末Ｂのメールアドレスと発信者電話番号、該発信者側からの着信に対する課金の有効期限、及びメール本文を元に、着信課金用電話番号、該有効期限、メール本文を含む電子メールを作成する電子メール作成手段と、
前記発信者電話番号と前記着信者電話番号に対応する着信課金用電話番号を前記着信課金制御サーバに登録すると共に、自装置内の着信課金発信者削除スケジュール記憶手段に、該発信者電話番号、該着信者電話番号、前記有効期限を登録する発信者登録・削除手段と、
前記電子メールを発信者側の端末Ｂに送信するメール送信手段と、
前記着信課金発信者削除スケジュール記憶手段に登録されている前記有効期限の削除時刻が到来した時点で、前記着信課金制御サーバに対して前記発信者電話番号の削除を要求する発信者削除要求手段と、
を有し、
前記着信課金制御サーバは、
前記Ｗｅｂメールサーバから受信した前記発信者電話番号を着信課金用電話番号と対応させて格納する着信課金発信者記憶手段と、
着信課金用電話番号と着信者電話番号とを対応付けて格納する着信課金電話番号変換記憶手段と、
前記端末Ｂから前記着信課金用電話番号を受信した前記呼処理装置から該着信課金用電話番号に基づく着信者電話番号の問い合わせがあった場合に、前記着信課金発信者記憶手段を参照して、発信者電話番号が登録されている場合のみ、該着信課金用電話番号に基づいて前記着信課金電話番号変換記憶手段から取得した着信者電話番号への接続を指示する検索手段と、
前記Ｗｅｂメールサーバから前記発信者電話番号の削除の要求があった時点で、該発信者電話番号を前記着信課金発信者記憶手段から削除する着信課金発信者制御手段と、
前記呼処理装置から前記発着信時刻情報を受信すると、前記着信者側に対する該発着信時刻情報に基づいた課金処理を行う課金手段と、を有する
ことを特徴とするメール利用型着信課金システム。
【請求項２】
通信網における呼処理装置と、通信網の着信者側に対する課金制御を行う着信課金制御サーバと、Ｗｅｂメールサーバと、インターネット網及び通信網の両方に接続される複数の利用者端末とからなり、電話の着信者側に対して課金を行う着信課金システムであって、
前記Ｗｅｂメールサーバは、
着信側の端末Ａから、該端末Ａのメールアドレス、宛先となる発信者側の端末Ｂのメールアドレスと発信者電話番号、及び、該発信者側からの着信に対する課金の有効期限からなる管理情報を受信する管理情報信手段と、
前記発信者電話番号と前記着信課金用電話番号を前記着信課金制御サーバに登録すると共に、自装置内の着信課金発信者削除スケジュール記憶手段に、前記発信者電話番号、着信者電話番号、前記有効期限を登録する発信者登録・削除手段と、
前記着信側の端末Ａに対して電子メールに設定するための着信課金用電話番号を含む着信課金案内を送信する着信課金案内送信手段と、
前記着信課金発信者削除スケジュール記憶手段に登録されている前記発信者電話番号の前記有効期限の削除時刻が到来した時点で前記着信課金制御サーバに対して前記発信者電話番号の削除を要求する発信者削除要求手段と、
を有し、
前記着信者側の端末Ａは、
前記Ｗｅｂメールサーバから前記着信課金案内を受信し、該着信課金案内にメール本文を設定し、前記発信者側の端末Ｂのメールアドレスに送信するメール送信手段を有し、
前記着信課金制御サーバは、
前記Ｗｅｂメールサーバから受信した前記発信者電話番号を着信課金用電話番号と対応させて格納する着信課金発信者記憶手段と、
着信課金用電話番号と着信者電話番号とを対応付けて格納する着信課金電話番号変換記憶手段と、
前記端末Ｂから前記着信課金用電話番号を受信した前記呼処理装置から該着信課金用電話番号に基づく着信者電話番号の問い合わせがあった場合に、前記着信課金発信者記憶手段を参照して、発信者電話番号が登録されている場合のみ、該着信課金用電話番号に基づいて前記着信課金電話番号変換記憶手段から取得した着信者電話番号への接続を指示する検索手段と、
前記Ｗｅｂメールサーバから前記発信者電話番号の削除の要求があった時点で、該発信者電話番号を前記着信課金発信者記憶手段から削除する着信課金発信者制御手段と、
前記呼処理装置から前記発着信時刻情報を受信すると、前記着信者側に対する該発着信時刻情報に基づいた課金処理を行う課金手段と、を有する
ことを特徴とするメール利用型着信課金システム。
【請求項３】
通信網における呼処理装置と、着信者側に対する課金制御を行う着信課金制御サーバと、Ｗｅｂメールサーバと、インターネット網及び通信網の両方に接続される複数の利用者端末とからなり、電話の着信者側に対して課金を行う着信課金システムであって、
前記Ｗｅｂメールサーバは、
着信側の端末Ａからの操作により、該端末Ａのメールアドレス、宛先となる発信者側の端末Ｂのメールアドレスと発信者電話番号、該発信者側からの着信に対する課金の有効期限、及びメール本文を元に、着信課金用電話番号、該有効期限、メール本文を含む電子メールを作成する電子メール作成手段と、
前記発信者電話番号と前記着信者電話番号に対応する着信課金用電話番号を前記着信課金制御サーバに登録する発信者登録手段と、
前記電子メールを発信者側の端末Ｂに送信するメール送信手段と、
を有し、
前記着信課金制御サーバは、
前記Ｗｅｂメールサーバから受信した前記発信者電話番号を着信課金用電話番号と対応させて格納する着信課金発信者記憶手段と、
着信課金用電話番号と着信者電話番号とを対応付けて格納する着信課金電話番号変換記憶手段と、
前記端末Ｂから前記着信課金用電話番号を受信した前記呼処理装置から該着信課金用電話番号に基づく着信者電話番号の問い合わせがあった場合に、前記着信課金発信者記憶手段を参照して、発信者電話番号が登録されている場合のみ、該着信課金用電話番号に基づいて前記着信課金電話番号変換記憶手段から取得した着信者電話番号への接続を指示する検索手段と、
前記呼処理装置から前記発着信時刻情報を受信すると、前記発信者電話番号を前記着信課金発信者記憶手段から削除する着信課金発信者制御手段と、
前記呼処理装置から前記発着信時刻情報を受信すると、前記着信者側に対する該発着信時刻情報に基づいた課金処理を行う課金手段と、を有する
ことを特徴とするメール利用型着信課金システム。
【請求項４】
通信網における呼処理装置と、通信網の着信者側に対する課金制御を行う着信課金制御サーバと、Ｗｅｂメールサーバと、インターネット網及び通信網の両方に接続される複数の利用者端末とからなり、電話の着信者側に対して課金を行う着信課金システムであって、
前記Ｗｅｂメールサーバは、
着信側の端末Ａから、該端末Ａのメールアドレス、宛先となる発信者側の端末Ｂのメールアドレスと発信者電話番号からなる管理情報を受信する管理情報信手段と、
前記発信者電話番号と前記着信課金用電話番号を前記着信課金制御サーバに登録する発信者登録手段と、
前記端末Ａに対して電子メールに設定するための着信課金用電話番号を含む着信課金案内を送信する着信課金案内送信手段と、
を有し、
前記着信者側の端末Ａは、
前記Ｗｅｂメールサーバから前記着信課金案内を受信し、該着信課金案内にメール本文を設定し、前記発信者側の端末Ｂのメールアドレスに送信するメール送信手段を有し、
前記着信課金制御サーバは、
前記Ｗｅｂメールサーバから受信した前記発信者電話番号を着信課金用電話番号と対応させて格納する着信課金発信者記憶手段と、
着信課金用電話番号と着信者電話番号とを対応付けて格納する着信課金電話番号変換記憶手段と、
前記端末Ｂから前記着信課金用電話番号を受信した前記呼処理装置から該着信課金用電話番号に基づく着信者電話番号の問い合わせがあった場合に、前記着信課金発信者記憶手段を参照して、発信者電話番号が登録されている場合のみ、該着信課金用電話番号に基づいて前記着信課金電話番号変換記憶手段から取得した着信者電話番号への接続を指示する検索手段と、
前記呼処理装置から前記発着信時刻情報を受信すると、前記着信課金発信者記憶手段から、前記発信者電話番号を削除する着信課金発信者制御手段と、
前記呼処理装置から前記発着信時刻情報を受信すると、前記着信者側に対する該発着信時刻情報に基づいた課金処理を行う課金手段と、を有する
ことを特徴とするメール利用型着信課金システム。
【請求項５】
前記Ｗｅｂメールサーバは、
予め利用者から少なくとも宛先のメールアドレスが登録された電話帳リストを格納した電話帳記憶手段と、
前記端末Ａからの操作によって作成された電子メールの宛先のメールアドレスが電話帳記憶手段に登録されている場合には、該メールアドレスに対応する発信者電話番号を前記着信課金制御サーバに登録する手段を含む
請求項１乃至４記載のメール利用型着信課金システム。
【請求項６】
通信網における呼処理装置と、通信網の着信者側に対する課金制御を行う着信課金制御サーバと、Ｗｅｂメールサーバと、インターネット網及び通信網の両方に接続される複数の利用者端末とからなり、電話の着信者側に対して課金を行う着信課金方法であって、
着信者側の端末Ａから前記Ｗｅｂメールサーバにアクセスし、
前記Ｗｅｂメールサーバは、
前記端末Ａからの操作により、該端末Ａのメールアドレス、宛先となる発信者側の端末Ｂのメールアドレスと発信者電話番号、該発信者側からの着信に対する課金の有効期限、及びメール本文を元に、着信課金用電話番号、該有効期限、メール本文を含む電子メールを作成し、
前記発信者電話番号と前記着信課金用電話番号を前記着信課金制御サーバに登録すると共に、自装置内の着信課金発信者削除スケジュール記憶手段に該発信者電話番号、該着信者電話番号、前記有効期限を登録し、
前記電子メールを発信者側の端末Ｂに送信し、
前記着信課金制御サーバは、
前記Ｗｅｂメールサーバから受信した前記発信者電話番号と前記着信課金用電話番号を着信課金発信者記憶手段に格納し、
前記端末Ｂから前記着信課金用電話番号を受信した前記呼処理装置から該着信課金用電話番号に基づく着信者電話番号の問い合わせがあった場合に、前記着信課金発信者記憶手段を参照して、発信者電話番号が登録されている場合に限り、該着信課金用電話番号に基づいて、着信者電話番号と着信課金用電話番号が対応付けて格納されている着信課金電話番号変換記憶手段から着信者電話番号を取得して該着信課金用電話番号への接続を指示し、
前記呼処理装置から前記発着信時刻情報を受信すると、前記着信者側に対する該発着信時刻情報に基づいた課金処理を行い、
前記Ｗｅｂメールサーバは、
前記着信課金発信者削除スケジュール記憶手段に登録されている前記発信者電話番号の前記有効期限の削除時刻が到来した時点で、前記着信課金制御サーバに対して前記発信者電話番号の削除を要求し、
前記着信課金制御サーバは、
前記Ｗｅｂメールサーバから該発信者電話番号の削除の要求があった時点で、該電話番号を前記着信課金発信者記憶手段から削除する
ことを特徴とするメール利用型着信課金方法。
【請求項７】
通信網における呼処理装置と、通信網の着信者側に対する課金制御を行う着信課金制御サーバと、Ｗｅｂメールサーバと、インターネット網及び通信網の両方に接続される複数の利用者端末とからなり、電話の着信者側に対して課金を行う着信課金方法であって、
着信者側の端末Ａから前記Ｗｅｂメールサーバにアクセスし、
前記Ｗｅｂメールサーバは、
前記端末Ａから、該端末Ａのメールアドレス、宛先となる発信者側の端末Ｂのメールアドレスと発信者電話番号、及び該発信者側からの着信に対する課金の有効期限からなる管理情報を受信し、
前記発信者電話番号と前記着信課金用電話番号を前記着信課金制御サーバに登録すると共に、自装置内の着信課金発信者削除スケジュール記憶手段に前記発信者電話番号、着信者電話番号、前記有効期限を登録し、
前記着信課金制御サーバは、
前記Ｗｅｂメールサーバから受信した前記発信者電話番号と前記着信課金用電話番号を対応付けて着信課金発信者記憶手段に格納し、
前記Ｗｅｂメールサーバは、前記端末Ａに対して電子メールに設定するための前記着信課金用電話番号を含む着信課金案内を送信し、
前記着信者側の端末Ａは、
前記Ｗｅｂメールサーバから前記着信課金案内を受信し、該着信課金案内にメール本文を設定し、前記発信者側の端末Ｂのメールアドレスに送信し、
前記着信課金制御サーバは、
前記端末Ｂから前記着信課金用電話番号を受信した前記呼処理装置から該着信課金用電話番号に基づく着信者電話番号の問い合わせがあった場合に、前記着信課金発信者記憶手段を参照して、発信者電話番号が登録されている場合に限り、該着信課金用電話番号に基づいて、着信者電話番号と着信課金用電話番号が対応付けて格納されている着信課金電話番号変換記憶手段から着信者電話番号を取得して該着信課金用電話番号への接続を指示し、
前記呼処理装置から前記発着信時刻情報を受信すると、前記着信者側に対する該発着信時刻情報に基づいた課金処理を行い、
前記Ｗｅｂメールサーバは、
前記着信課金発信者削除スケジュール記憶手段に登録されている発信者電話番号の前記有効期限の削除時刻が到来した時点で、前記着信課金制御サーバに対して該発信者電話番号の削除を要求し、
前記着信課金制御サーバは、
前記Ｗｅｂメールサーバから前記発信者電話番号の削除の要求があると、該発信者電話番号を前記着信課金発信者記憶手段から削除する
ことを特徴とするメール利用型着信課金方法。
【請求項８】
通信網における呼処理装置と、通信網の着信者側に対する課金制御を行う着信課金制御サーバと、Ｗｅｂメールサーバと、インターネット網及び通信網の両方に接続される複数の利用者端末とからなり、電話の着信者側に対して課金を行う着信課金方法であって、
着信者側の端末Ａから前記Ｗｅｂメールサーバにアクセスし、
前記Ｗｅｂメールサーバは、
前記端末Ａからの操作により、該端末Ａのメールアドレス、宛先となる発信者側の端末Ｂのメールアドレスと発信者電話番号、該発信者側からの着信に対する課金の有効期限、及びメール本文を元に、着信課金用電話番号、該有効期限、メール本文を含む電子メールを作成し、
前記発信者電話番号と前記着信課金用電話番号を前記着信課金制御サーバに登録し、
前記電子メールを発信者側の端末Ｂに送信し、
前記着信課金制御サーバは、
前記Ｗｅｂメールサーバから受信した前記発信者電話番号と前記着信課金用電話番号を着信課金発着信記憶手段に格納し、
前記端末Ｂから前記着信課金用電話番号を受信した前記呼処理装置から該着信課金用電話番号に基づく着信者電話番号の問い合わせがあった場合に、前記着信課金発信者記憶手段を参照して、発信者電話番号が登録されている場合に限り、該着信課金用電話番号に基づいて、着信者電話番号と着信課金用電話番号が対応付けて格納されている着信課金電話番号変換記憶手段から着信者電話番号を取得して該着信課金用電話番号への接続を指示し、
前記呼処理装置から前記発着信時刻情報を受信すると、前記着信者側に対する該発着信時刻情報に基づいた課金処理を行い、前記着信課金発信者記憶手段から前記発信者電話番号を削除する
ことを特徴とするメール利用型着信課金方法。
【請求項９】
通信網における呼処理装置と、通信網の着信者側に対する課金制御を行う着信課金制御サーバと、Ｗｅｂメールサーバと、インターネット網及び通信網の両方に接続される複数の利用者端末とからなり、電話の着信者側に対して課金を行う着信課金方法であって、
着信者側の端末Ａから前記Ｗｅｂメールサーバにアクセスし、
前記Ｗｅｂメールサーバは、
前記端末Ａから、該端末Ａのメールアドレス、発信者電話番号からなる管理情報を受信し、
前記発信者電話番号と前記着信課金用電話番号を前記着信課金制御サーバに登録し、
前記着信課金制御サーバは、
前記Ｗｅｂメールサーバから受信した前記発信者電話番号と前記着信課金用電話番号を対応付けて着信課金発信者記憶手段に格納し、
前記Ｗｅｂメールサーバは、前記端末Ａに対して電子メールに設定するための前記着信課金用電話番号を含む着信課金案内を送信し、
前記着信者側の端末Ａは、
前記Ｗｅｂメールサーバから前記着信課金案内を受信し、該着信課金案内にメール本文を設定し、発信者側の端末Ｂのメールアドレスに送信し、
前記着信課金制御サーバは、
前記端末Ｂから前記着信課金用電話番号を受信した前記呼処理装置から該着信課金用電話番号に基づく着信者電話番号の問い合わせがあった場合に、前記着信課金発信者記憶手段を参照して、発信者電話番号が登録されている場合に限り、該着信課金用電話番号に基づいて、着信者電話番号と着信課金用電話番号が対応付けて格納されている着信課金電話番号変換記憶手段から着信者電話番号を取得して該着信課金用電話番号への接続を指示し、
前記呼処理装置から前記発着信時刻情報を受信すると、前記着信者側に対する該発着信時刻情報に基づいた課金処理を行い、前記着信課金発信者記憶手段から前記発信者電話番号を削除する
ことを特徴とするメール利用型着信課金方法。
【請求項１０】
前記Ｗｅｂメールサーバは、
前記端末Ａからの操作によって作成された電子メールの宛先のメールアドレスが電話帳記憶手段に登録されている場合には、該メールアドレスに対応する発信者電話番号を前記着信課金制御サーバに登録する
請求項６乃至９記載のメール利用型着信課金方法。
【発明の詳細な説明】
【技術分野】
【０００１】
本発明は、メール利用型着信課金システム及び方法に係り、特に、呼全体に対して着信利用者側に課金するためのメール利用型着信課金システム及び方法に関する。
【背景技術】
【０００２】
従来の第１の電話サービスにおける着信課金サービスとして、以下のようなケースに対するサービスが提供されている（例えば、非特許文献１参照）。
（ａ）発信利用者が呼設定時に着信課金を要求し、着信側の利用者は着信課金の諾否を選択する。
（ｂ）着信課金の要求機能を有する発信利用者または着信利用者が呼の通信中フレーズでその呼の残り部分に対して着信課金を要求する。
（ｃ）着信利用者が呼の通信中フェーズでその呼全体に対して着信課金を要求する。
（ｄ）発信者からの着信課金要求を必要とせず、無条件に着信課金を行う。
【０００３】
また、第２の着信課金サービスとして、予め着信者が登録した発信者電話番号からの着信のみを着信課金する方法がある（例えば、特許文献１参照）。
【特許文献１】特開２００１−３０９０８８号公報
【非特許文献１】ＴＴＣ標準（ＪＴ−１２５６第３版）
【発明の開示】
【発明が解決しようとする課題】
【０００４】
しかしながら、上記第１の着信課金の方法では、通話前に着信者が特定の発信者からのみ着信課金を許可する場合については規定がない。
【０００５】
また、上記第２の着信課金の方法では、着信者が予め発信者電話番号を登録して着信課金を指定できるが、登録の際に着信者が個々に電話番号を指定する必要があり、特に頻繁に通話する相手である場合は問題ないが、そうでない通信相手について着信課金を許可するための登録、及び、非許可とする場合の削除操作を行うことは困難である。
【０００６】
本発明は、上記の点に鑑みなされたもので、発信前に発信者電話番号の登録処理をより簡単にすることが可能なメール利用型着信課金システム及び方法を提供することを目的とする。
【課題を解決するための手段】
【０００７】
図１は、本発明の原理構成図である。
【０００８】
本発明（請求項１）は、通信網における呼処理装置３００と、着信者側に対する課金制御を行う着信課金制御サーバ２００と、Ｗｅｂメールサーバ１００と、インターネット網及び通信網の両方に接続される複数の利用者端末４００，５００とからなり、電話の着信者側に対して課金を行う着信課金システムであって、
Ｗｅｂメールサーバ１００は、
着信側の端末Ａ４００からの操作により、該端末Ａのメールアドレス、宛先となる発信者側の端末Ｂのメールアドレスと発信者電話番号、該発信者側からの着信に対する課金の有効期限、及びメール本文を元に、着信課金用電話番号、該有効期限、メール本文を含む電子メールを作成する電子メール作成手段１７０と、
発信者電話番号と着信者電話番号に対応する着信課金用電話番号を着信課金制御サーバ２００に登録すると共に、自装置内の着信課金発信者削除スケジュール記憶手段１５０に、発信者電話番号、着信者電話番号、有効期限を登録する発信者登録手段１３０と、
電子メールを発信者側の端末Ｂ５００に送信するメール送信手段１２０と、
着信課金発信者削除スケジュール記憶手段１５０に登録されている有効期限の削除時刻が到来した時点で、着信課金制御サーバ２００に対して発信者電話番号の削除を要求する発信者削除要求手段１３２と、
を有し、
着信課金制御サーバ２００は、
Ｗｅｂメールサーバから受信した発信者電話番号を着信課金用電話番号と対応させて格納する着信課金発信者記憶手段２８０と、
着信課金用電話番号と着信者電話番号とを対応付けて格納する着信課金電話番号変換記憶手段２６０と、
端末Ｂ５００から着信課金用電話番号を受信した呼処理装置３００から該着信課金用電話番号に基づく着信者電話番号の問い合わせがあった場合に、着信課金発信者記憶手段２８０を参照して、発信者電話番号が登録されている場合のみ、該着信課金用電話番号に基づいて着信課金電話番号変換記憶手段２６０から取得した着信者電話番号への接続を指示する検索手段２３０と、
Ｗｅｂメールサーバ１００から発信者電話番号の削除の要求があった時点で、該発信者電話番号を着信課金発信者記憶手段から削除する着信課金発信者制御手段２２０と、
呼処理装置から発着信時刻情報を受信すると、着信者側に対する該発着信時刻情報に基づいた課金処理を行う課金手段２４０と、を有する。
【０００９】
本発明（請求項２）は、通信網における呼処理装置と、通信網の着信者側に対する課金制御を行う着信課金制御サーバと、Ｗｅｂメールサーバと、インターネット網及び通信網の両方に接続される複数の利用者端末とからなり、電話の着信者側に対して課金を行う着信課金システムであって、
Ｗｅｂメールサーバは、
着信側の端末Ａから、該端末Ａのメールアドレス、宛先となる発信者側の端末Ｂのメールアドレスと発信者電話番号、及び、該発信者側からの着信に対する課金の有効期限からなる管理情報を受信する管理情報信手段と、
発信者電話番号と着信課金用電話番号を着信課金制御サーバに登録すると共に、自装置内の着信課金発信者削除スケジュール記憶手段に、発信者電話番号、着信者電話番号、有効期限を登録する発信者登録・削除手段と、
着信側の端末Ａに対して電子メールに設定するための着信課金用電話番号を含む着信課金案内を送信する着信課金案内送信手段と、
着信課金発信者削除スケジュール記憶手段に登録されている発信者電話番号の有効期限の削除時刻が到来した時点で着信課金制御サーバに対して発信者電話番号の削除を要求する発信者削除要求手段と、
を有し、
着信者側の端末Ａは、
Ｗｅｂメールサーバから着信課金案内を受信し、該着信課金案内にメール本文を設定し、発信者側の端末Ｂのメールアドレスに送信するメール送信手段を有し、
着信課金制御サーバは、
Ｗｅｂメールサーバから受信した発信者電話番号を着信課金用電話番号と対応させて格納する着信課金発信者記憶手段と、
着信課金用電話番号と着信者電話番号とを対応付けて格納する着信課金電話番号変換記憶手段と、
端末Ｂから着信課金用電話番号を受信した呼処理装置から該着信課金用電話番号に基づく着信者電話番号の問い合わせがあった場合に、着信課金発信者記憶手段を参照して、発信者電話番号が登録されている場合のみ、該着信課金用電話番号に基づいて着信課金電話番号変換記憶手段から取得した着信者電話番号への接続を指示する検索手段と、
Ｗｅｂメールサーバから発信者電話番号の削除の要求があった時点で、該発信者電話番号を着信課金発信者記憶手段から削除する着信課金発信者制御手段と、
呼処理装置から発着信時刻情報を受信すると、着信者側に対する該発着信時刻情報に基づいた課金処理を行う課金手段と、を有する。
【００１０】
本発明（請求項３）は、通信網における呼処理装置と、着信者側に対する課金制御を行う着信課金制御サーバと、Ｗｅｂメールサーバと、インターネット網及び通信網の両方に接続される複数の利用者端末とからなり、電話の着信者側に対して課金を行う着信課金システムであって、
Ｗｅｂメールサーバは、
着信側の端末Ａからの操作により、該端末Ａのメールアドレス、宛先となる発信者側の端末Ｂのメールアドレスと発信者電話番号、該発信者側からの着信に対する課金の有効期限、及びメール本文を元に、着信課金用電話番号、該有効期限、メール本文を含む電子メールを作成する電子メール作成手段と、
発信者電話番号と着信者電話番号に対応する着信課金用電話番号を着信課金制御サーバに登録する発信者登録手段と、
電子メールを発信者側の端末Ｂに送信するメール送信手段と、
を有し、
着信課金制御サーバは、
Ｗｅｂメールサーバから受信した発信者電話番号を着信課金用電話番号と対応させて格納する着信課金発信者記憶手段と、
着信課金用電話番号と着信者電話番号とを対応付けて格納する着信課金電話番号変換記憶手段と、
端末Ｂから課金用電話番号を受信した呼処理装置から該着信課金用電話番号に基づく着信者電話番号の問い合わせがあった場合に、着信課金発信者記憶手段を参照して、発信者電話番号が登録されている場合のみ、該着信課金用電話番号に基づいて着信課金電話番号変換記憶手段から取得した着信者電話番号への接続を指示する検索手段と、
呼処理装置から発着信時刻情報を受信すると、発信者電話番号を着信課金発信者記憶手段から削除する着信課金発信者制御手段と、
呼処理装置から発着信時刻情報を受信すると、着信者側に対する該発着信時刻情報に基づいた課金処理を行う課金手段と、を有する。
【００１１】
本発明（請求項４）は、通信網における呼処理装置と、通信網の着信者側に対する課金制御を行う着信課金制御サーバと、Ｗｅｂメールサーバと、インターネット網及び通信網の両方に接続される複数の利用者端末とからなり、電話の着信者側に対して課金を行う着信課金システムであって、
Ｗｅｂメールサーバは、
着信側の端末Ａから、該端末Ａのメールアドレス、宛先となる発信者側の端末Ｂのメールアドレスと発信者電話番号からなる管理情報を受信する管理情報信手段と、
発信者電話番号と着信課金用電話番号を着信課金制御サーバに登録する発信者登録手段と、
端末Ａに対して電子メールに設定するための着信課金用電話番号を含む着信課金案内を送信する着信課金案内送信手段と、
を有し、
着信者側の端末Ａは、
Ｗｅｂメールサーバから着信課金案内を受信し、該着信課金案内にメール本文を設定し、発信者側の端末Ｂのメールアドレスに送信するメール送信手段を有し、
着信課金制御サーバは、
Ｗｅｂメールサーバから受信した発信者電話番号を着信課金用電話番号と対応させて格納する着信課金発信者記憶手段と、
着信課金用電話番号と着信者電話番号とを対応付けて格納する着信課金電話番号変換記憶手段と、
端末Ｂから着信課金用電話番号を受信した呼処理装置から該着信課金用電話番号に基づく着信者電話番号の問い合わせがあった場合に、着信課金発信者記憶手段を参照して、発信者電話番号が登録されている場合のみ、該着信課金用電話番号に基づいて着信課金電話番号変換記憶手段から取得した着信者電話番号への接続を指示する検索手段と、
呼処理装置から発着信時刻情報を受信すると、着信課金発信者記憶手段から、発信者電話番号を削除する着信課金発信者制御手段と、
呼処理装置から発着信時刻情報を受信すると、着信者側に対する該発着信時刻情報に基づいた課金処理を行う課金手段と、を有する。
【００１２】
また、本発明（請求項５）は、上記請求項１乃至４のＷｅｂメールサーバにおいて、
予め利用者から少なくとも宛先のメールアドレスが登録された電話帳リストを格納した電話帳記憶手段と、
端末Ａからの操作によって作成された電子メールの宛先のメールアドレスが電話帳記憶手段に登録されている場合には、該メールアドレスに対応する発信者電話番号を着信課金制御サーバに登録する手段を含む。
【００１３】
図２は、本発明の原理を説明するための図である。
【００１４】
本発明（請求項６）は、通信網における呼処理装置と、通信網の着信者側に対する課金制御を行う着信課金制御サーバと、Ｗｅｂメールサーバと、インターネット網及び通信網の両方に接続される複数の利用者端末とからなり、電話の着信者側に対して課金を行う着信課金方法であって、
着信者側の端末ＡからＷｅｂメールサーバにアクセスし、
Ｗｅｂメールサーバは、
着信側の端末Ａからの操作により、該端末Ａのメールアドレス、宛先となる発信者側の端末Ｂのメールアドレスと発信者電話番号、該発信者側からの着信に対する課金の有効期限、及びメール本文を元に、着信課金用電話番号、該有効期限、メール本文を含む電子メールを作成し（ステップ１）、
発信者電話番号と着信課金用電話番号を着信課金制御サーバに登録する（ステップ２）と共に、自装置内の着信課金発信者削除スケジュール記憶手段に該発信者電話番号、該着信者電話番号、有効期限を登録し（ステップ３）、
電子メールを発信者側の端末Ｂに送信し（ステップ５）、
着信課金制御サーバは、
Ｗｅｂメールサーバから受信した発信者電話番号と着信課金用電話番号を着信課金発信者記憶手段に格納し（ステップ４）、
端末Ｂから着信課金用電話番号を受信した呼処理装置から該着信課金用電話番号に基づく着信者電話番号の問い合わせがあった場合（ステップ６）に、着信課金発信者記憶手段を参照して、発信者電話番号が登録されている場合に限り、該着信課金用電話番号に基づいて、着信者電話番号と着信課金用電話番号が対応付けて格納されている着信課金電話番号変換記憶手段から着信者電話番号を取得して該着信課金用電話番号への接続を指示し（ステップ７）、
呼処理装置から発着信時刻情報を受信すると、着信者側に対する該発着信時刻情報に基づいた課金処理を行い（ステップ８）、
Ｗｅｂメールサーバは、
着信課金発信者削除スケジュール記憶手段に登録されている発信者電話番号の有効期限の削除時刻が到来した時点（ステップ９）で、着信課金制御サーバに対して発信者電話番号の削除を要求し（ステップ１０）、
着信課金制御サーバは、
Ｗｅｂメールサーバから該発信者電話番号の削除の要求があった時点で、該電話番号を着信課金発信者記憶手段から削除する（ステップ１１）。
【００１５】
本発明（請求項７）は、通信網における呼処理装置と、通信網の着信者側に対する課金制御を行う着信課金制御サーバと、Ｗｅｂメールサーバと、インターネット網及び通信網の両方に接続される複数の利用者端末とからなり、電話の着信者側に対して課金を行う着信課金方法であって、
着信者側の端末ＡからＷｅｂメールサーバにアクセスし、
Ｗｅｂメールサーバは、
端末Ａから、該端末Ａのメールアドレス、宛先となる発信者側の端末Ｂのメールアドレスと発信者電話番号、及び該発信者側からの着信に対する課金の有効期限からなる管理情報を受信し、
発信者電話番号と着信課金用電話番号を着信課金制御サーバに登録すると共に、自装置内の着信課金発信者削除スケジュール記憶手段に発信者電話番号、着信者電話番号、有効期限を登録し、
着信課金制御サーバは、
Ｗｅｂメールサーバから受信した発信者電話番号と着信課金用電話番号を対応付けて着信課金発信者記憶手段に格納し、
Ｗｅｂメールサーバは、端末Ａに対して電子メールに設定するための着信課金用電話番号を含む着信課金案内を送信し、
着信者側の端末Ａは、
Ｗｅｂメールサーバから着信課金案内を受信し、該着信課金案内にメール本文を設定し、発信者側の端末Ｂのメールアドレスに送信し、
着信課金制御サーバは、
端末Ｂから着信課金用電話番号を受信した呼処理装置から該着信課金用電話番号に基づく着信者電話番号の問い合わせがあった場合に、着信課金発信者記憶手段を参照して、発信者電話番号が登録されている場合に限り、該着信課金用電話番号に基づいて、着信者電話番号と着信課金用電話番号が対応付けて格納されている着信課金電話番号変換記憶手段から着信者電話番号を取得して該着信課金用電話番号への接続を指示し、
呼処理装置から発着信時刻情報を受信すると、着信者側に対する該発着信時刻情報に基づいた課金処理を行い、
Ｗｅｂメールサーバは、
着信課金発信者削除スケジュール記憶手段に登録されている発信者電話番号の有効期限の削除時刻が到来した時点で、着信課金制御サーバに対して該発信者電話番号の削除を要求し、
着信課金制御サーバは、
Ｗｅｂメールサーバから発信者電話番号の削除の要求があると、該発信者電話番号を着信課金発信者記憶手段から削除する。
【００１６】
本発明（請求項８）は、通信網における呼処理装置と、通信網の着信者側に対する課金制御を行う着信課金制御サーバと、Ｗｅｂメールサーバと、インターネット網及び通信網の両方に接続される複数の利用者端末とからなり、電話の着信者側に対して課金を行う着信課金方法であって、
着信者側の端末ＡからＷｅｂメールサーバにアクセスし、
Ｗｅｂメールサーバは、
着信側の端末Ａからの操作により、該端末Ａのメールアドレス、宛先となる発信者側の端末Ｂのメールアドレスと発信者電話番号、該発信者側からの着信に対する課金の有効期限、及びメール本文を元に、着信課金用電話番号、該有効期限、メール本文を含む電子メールを作成し、
発信者電話番号と着信課金用電話番号を着信課金制御サーバに登録し、
電子メールを発信者側の端末Ｂに送信し、
着信課金制御サーバは、
Ｗｅｂメールサーバから受信した発信者電話番号と着信課金用電話番号を着信課金発着信記憶手段に格納し、
端末Ｂから着信課金用電話番号を受信した呼処理装置から該着信課金用電話番号に基づく着信者電話番号の問い合わせがあった場合に、着信課金発信者記憶手段を参照して、発信者電話番号が登録されている場合に限り、該着信課金用電話番号に基づいて、着信者電話番号と着信課金用電話番号が対応付けて格納されている着信課金電話番号変換記憶手段から着信者電話番号を取得して該着信課金用電話番号への接続を指示し、
呼処理装置から発着信時刻情報を受信すると、着信者側に対する該発着信時刻情報に基づいた課金処理を行い、着信課金発信者記憶手段から発信者電話番号を削除する。
【００１７】
本発明（請求項９）は、通信網における呼処理装置と、通信網の着信者側に対する課金制御を行う着信課金制御サーバと、Ｗｅｂメールサーバと、インターネット網及び通信網の両方に接続される複数の利用者端末とからなり、電話の着信者側に対して課金を行う着信課金方法であって、
着信者側の端末ＡからＷｅｂメールサーバにアクセスし、
Ｗｅｂメールサーバは、
端末Ａから、該端末Ａのメールアドレス、発信者電話番号からなる管理情報を受信し、
発信者電話番号と着信課金用電話番号を着信課金制御サーバに登録し、
着信課金制御サーバは、
Ｗｅｂメールサーバから受信した発信者電話番号と着信課金用電話番号を対応付けて着信課金発信者記憶手段に格納し、
Ｗｅｂメールサーバは、端末Ａに対して電子メールに設定するための着信課金用電話番号を含む着信課金案内を送信し、
着信者側の端末Ａは、
Ｗｅｂメールサーバから着信課金案内を受信し、該着信課金案内にメール本文を設定し、発信者側の端末Ｂのメールアドレスに送信し、
着信課金制御サーバは、
端末Ｂから着信課金用電話番号を受信した呼処理装置から該着信課金用電話番号に基づく着信者電話番号の問い合わせがあった場合に、着信課金発信者記憶手段を参照して、発信者電話番号が登録されている場合に限り、該着信課金用電話番号に基づいて、着信者電話番号と着信課金用電話番号が対応付けて格納されている着信課金電話番号変換記憶手段から着信者電話番号を取得して該着信課金用電話番号への接続を指示し、
呼処理装置から発着信時刻情報を受信すると、着信者側に対する該発着信時刻情報に基づいた課金処理を行い、着信課金発信者記憶手段から発信者電話番号を削除する。
【００１８】
また、本発明（請求項１０）は、上記請求項６乃至９のＷｅｂメールサーバにおいて、
端末Ａからの操作によって作成された電子メールの宛先のメールアドレスが電話帳記憶手段に登録されている場合には、該メールアドレスに対応する発信者電話番号を着信課金制御サーバに登録する。
【発明の効果】
【００１９】
上記のように本発明によれば、予め着信者となる利用者Ａにおいて、着信課金を許可する相手の連絡先等のメールを、メールサーバを介して着信課金制御サーバに対して送信することにより、着信課金制御サーバにおいて着信課金許可リストに利用者Ａが指定する番号を登録しておくと共に、当該メールが発信者となる利用者Ｂに届くことにより、利用者Ｂは着信課金の通話ができることが明確にわかるため、発信者である利用者Ｂは通話時間が長引いても通話料金を意識することがなくなる。
【００２０】
また、発信者毎に有効期限を設定し、有効期限が到来したら、発信者を削除することにより、その期限内において何度も発信者を登録・削除を行う必要がない。
【００２１】
また、有効期限を設定せずに、通話終了後に発信者番号を削除することにより、着信課金の回数を限定することができ、設定時間内に何回もの通話を着信者が負担する事態を回避できる。
【００２２】
また、メールのメール本文から通話前に発信者にも着信者の用件が認識できるため、電話をかけるタイミングを調整することができる。
【００２３】
また、利用者Ａは利用者Ｂのメールアドレスは知っているものの、電話番号を知らないような場合でも、メールを送信する操作を行うのみで相手から電話をもらい易くなる。
【発明を実施するための最良の形態】
【００２４】
以下、図面と共に本発明の実施の形態を説明する。
【００２５】
［第１の実施の形態］
図３は、本発明の第１の実施の形態における動作の概要を説明するための図である。
【００２６】
以下では、電話網を介して着信者となる利用者を利用者Ａ、発信者となる利用者を利用者Ｂとして説明する。
【００２７】
（１）着信者の利用者Ａが、パーソナルコンピュータ（以下、ＰＣと記す）からＷｅｂ画面にて相手のメールアドレス、連絡先電話番号、用件、着信課金の有効期限、相手の電話番号等を設定することにより、Ｗｅｂメールサーバにおいて電子メールを作成する。
【００２８】
（２）さらに、Ｗｅｂメールサーバは利用者Ｂの発信者電話番号、利用者Ａの着信者電話番号、及び着信課金の有効期限を当該サーバ内の記憶手段に格納すると共に、着信課金制御サーバに対して発信者電話番号及び着信課金用電話番号を登録する。
【００２９】
（３）Ｗｅｂメールサーバにおいて、電子メールに、無料で通話できることを示す着信課金番号を付与して利用者Ｂの端末に送信する。
【００３０】
（４）利用者Ｂの端末が電子メールを受信すると、利用者Ｂはメール本文で利用者Ａの用件を確認する。
【００３１】
（５）利用者Ｂは、受信した電子メールに記載されている着信課金用電話番号をダイヤルすることにより、着信者の利用者Ａに対し発呼する。
【００３２】
（６）電話網（呼処理装置）を介して利用者Ｂと利用者Ａとの間で呼接続され通話が開始される。
【００３３】
（７）電話による通話が終了すると、呼処理装置から着信課金制御サーバに対して課金情報を送信し、着信課金制御サーバでは、着信者である利用者Ａに対する課金処理を行う。
【００３４】
（８）Ｗｅｂサーバは有効期限が到来すると、着信課金制御サーバに対して、登録されている発信者電話番号を削除する要求を発行し、これにより着信課金制御サーバは当該発信者電話番号を削除する。
【００３５】
図４は、本発明の第１の実施の形態におけるシステム構成図である。
【００３６】
同図に示すシステムは、Ｗｅｂメールサーバ１００、着信課金制御サーバ２００、電話網を介した電話の通話の制御を行う呼処理装置３００、着信者利用者Ａの端末Ａ４００，発信者利用者Ｂの端末Ｂ５００から構成される。
【００３７】
Ｗｅｂメールサーバ１００は、利用者からの設定情報を取得し、メールを作成して宛先に対して送信するサーバであり、送信者からの宛先の情報及び着信課金制御サーバ２００に対して着信課金すべき利用者の情報を登録し、利用者によって設定された有効期限が到来したら、登録した情報を削除する通知を行うサーバである。
【００３８】
Ｗｅｂメールサーバ１００は、図５に示すように、端末Ａ４００との送受信を行う送受信インタフェース（Ｉ／Ｆ）１１０、メールサーバとの送受信のためのメール送受信Ｉ／Ｆ１２０、発信者登録・削除部１３０、利用者ＤＢ１４０、着信課金発信者削除スケジューラ記憶部１５０、サービス利用者電話帳ＤＢ１６０、メール作成・送受信部１７０、着信課金制御サーバ２００との送受信を行う登録削除Ｉ／Ｆ１９０から構成される。
【００３９】
利用者ＤＢ１４０は、利用者がメールを作成するために必要な情報として、図６に示すように、着信課金用電話番号、表示名、電話番号、メールアドレス、ログインパスワード等を格納し、メールアドレスにより利用者を一意に特定する。
【００４０】
着信課金発信者削除スケジューラ記憶部１５０は、図７に示すように発信者電話番号、着信者電話番号、及び後述する着信課金制御サーバ２００内の着信課金発信者ＤＢ２８０のレコードを削除するタイミング（有効期限）を保持する。
【００４１】
利用者電話帳ＤＢ１６０は、図８に示すように、利用者毎に利用者がメールを送信する相手のメールアドレスと電話番号とが対応付けられて保持され、メール作成・送受信部１７０から読み出される。なお、図８では、メールアドレスと電話番号の両方が保持されているが、着信側の利用者が発信者の電話番号を知らない場合は、メールアドレスのみが登録される。また、メールを送る相手も本サービスの利用者である場合には電話番号は省略可能とし、この場合は、メールアドレスをキーとして利用者ＤＢ１４０を検索することにより相手が登録した電話番号を取得して利用することが可能であり、また、当該利用者の端末上では検索した電話番号を非公開とすることも可能である。
【００４２】
また、本実施の形態では、利用者電話帳ＤＢ１６０をＷｅｂメールサーバ１００に保持するものとして説明するが、この例に限定されることなく、他のサーバに保持し、端末Ａ４００からアクセスして取得するようにしてもよい。
【００４３】
メール作成・送受信部１７０は、端末Ａ４００からログインを受け付けると利用者ＤＢ１４０のメールアドレスとログインパスワードと照合を行い、照合できた場合にはメールを作成するものとし、サービス利用者電話帳ＤＢ１６０から当該利用者が予め登録しておいた電話帳リストを取得して端末用Ｉ／Ｆ１１０を介して端末Ａ４００に表示する。メール作成・送受信部１７０は、端末Ａ４００から取得した宛先の端末Ｂ５００の電話番号を削除するための有効期限を取得し、また、利用者ＤＢ１４０からメールアドレスに対応する着信課金用電話番号を取得し、発信者電話番号と組にして発信者登録・削除部１３０に転送する。また、メール作成・送受信部１７０は、作成したメールをメール送受信Ｉ／Ｆ１２０を介して送信する。
【００４４】
発信者登録・削除部１３０は、発信者電話番号、着信課金用電話番号、有効期限を着信課金発信者削除スケジューラ記憶部１５０に登録する。また、発信者電話番号と着信課金用電話番号の組を登録削除Ｉ／Ｆ１９０を介して着信課金制御サーバ２００に登録する。また、着信課金発信者削除スケジューラ記憶部１５０に登録されている有効期限の時刻が到来すると、登録削除部Ｉ／Ｆ１９０を介して着信課金制御サーバ２００に発信者電話番号と着信課金用電話番号を送信することにより当該発信者電話番号の削除を要求する。
【００４５】
図９は、本発明の第１の実施の形態における着信課金制御サーバの構成を示す。
【００４６】
同図に示す着信課金制御サーバ２００は、発信者から発呼された通話を着信者に課金するための制御を行なうサーバであり、呼処理装置３００との信号の送受信を行う呼処理装置用インタフェース（Ｉ／Ｆ）２１０、登録削除用インタフェース（Ｉ／Ｆ）２９０、登録・削除部２２０、検索部２３０、課金部２４０、着信課金電話番号変換ＤＢ２６０、課金ＤＢ２７０、着信課金発着信登録ＤＢ２８０から構成される。
【００４７】
着信課金電話番号変換ＤＢ２６０は、図１０に示すように、着信課金用番号と着信者電話番号を格納しており、着信課金用番号を着信者電話番号に変換するために検索部２３０により参照される。
【００４８】
課金ＤＢ２７０は、図１１に示すように、発信者電話番号、着信課金用番号、通話開始時刻、通話終了時刻、通話時間が格納され、呼処理装置３００から通知された本サービスを利用した通話の開始時刻と終了時刻を記録し、課金部２４０によってこの情報に基づいて利用者に請求する料金を計算する際に利用される。
【００４９】
着信課金発信者登録ＤＢ２８０は、図１２に示すように、発信者電話番号と着信課金用番号が格納されている。
【００５０】
登録・削除部２２０は、登録削除用Ｉ／Ｆ２９０を介して、Ｗｅｂサーバ１００から発信者電話番号と着信課金用電話番号の組を取得すると、着信課金発信者登録ＤＢ２８０に登録する。また同様にして、Ｗｅｂサーバ１００から有効期限が到来したために発信者電話番号の削除要求があると、当該電話番号を着信課金発信者登録ＤＢ２８０から削除する。また、呼処理装置３００から通話の開始及び通話の終了を通知する発着信時刻情報通知を取得すると、発信者電話番号に対応する通話開始時刻または通話終了時刻を課金ＤＢ２７０に設定する。
【００５１】
検索部２３０は、呼処理装置３００から着信者（端末Ａ）の番号の問い合わせがあると、当該問い合わせに含まれる着信課金用電話番号に基づいて、着信課金発信者登録ＤＢ２８０を検索して、当該着信課金用電話番号に対応する発信者電話番号が登録されているか判定する。登録されている場合には、着信課金用電話番号に基づいて着信課金電話番号変換ＤＢ２６０を検索し、着信者電話番号を取得して返却する。
【００５２】
課金部２４０は、任意のタイミングで課金ＤＢ２７０を参照し、発信者電話番号毎の通話開始時刻から通話終了時刻までの通話時間を計算し、課金ＤＢ２７０に設定し、着信者電話番号に対する課金処理を行う。
【００５３】
図１３は、本発明の第１の実施の形態における動作のシーケンスチャートである。
【００５４】
以下では、端末Ａ４００の利用者Ａを電話の着信者、端末Ｂ５００の利用者Ｂを電話の発信者として説明する。なお、着信者及び発信者はメールの着信者・発信者ではない点に注意されたい。
【００５５】
まず、利用者Ａが、本サービスを受けるためのＷｅｂサイトにアクセスすると、Ｗｅｂメールサーバ１００には、端末Ａ４００から当該端末Ａ４００の利用者のメールアドレスとパスワードが端末用Ｉ／Ｆ１１０を介して入力される。Ｗｅｂメールサーバ１００は、メール作成・送受信部１７０において、取得したメールアドレスとパスワードに基づいて利用者ＤＢ１４０の内容と照合することにより、利用者Ａを識別・認証し（ステップ１０１）、端末用Ｉ／Ｆ１１０を介してログインしてメールを作成することを許可し、利用者のメールアドレスに基づいてサービス利用者電話帳１６０の電話帳リストを送信する（ステップ１０２）。なお、当該電話帳リストは端末Ａにおいて利用者Ａが所望の宛先をクリックすることにより選択可能な形式で送信する。
【００５６】
利用者Ａが、受信した電話帳から宛先をクリックすることにより、メールの画面の所定の表示位置に設定される。さらに、当該利用者Ｂからの着信課金を有効にするための有効期限を指定して、利用者Ｂに対する用件を記載したメール本文と共にＷｅｂメールサーバ１００に送信する。宛先・有効期限が設定された画面例を図１４に示す。Ｗｅｂメールサーバ１００に送信される情報は、メール送信先（発信者）のメールアドレス、発信者の電話番号（ex：03−yyyy−yyyy）（無くても可）、本文、有効期限である（ステップ１０３）。なお、発信者電話番号が不明であってもメールアドレスが入力されていれば、Ｗｅｂメールサーバ１００の利用者ＤＢ１４０を検索することにより、発信者電話番号を抽出することができる。
【００５７】
Ｗｅｂメールサーバ１００は、端末Ａ４００の利用者Ａの操作により設定されたメールの宛先の電話番号（ex：03−yyyy−yyyy）と、利用者ＤＢ１４０から利用者Ａのメールアドレスに対応する着信課金用番号（ex：0120−xxx−xxx）を取得して登録削除Ｉ／Ｆ１９０を介して着信課金制御サーバ２００に送信する（ステップ１０４）。また、このとき、Ｗｅｂメールサーバ１００のメール作成・送受信部１７０は、端末Ａ４００操作で指定された「有効期限」の終了日時を削除日時として、発信者登録・削除部１３０を介して着信課金発信者削除スケジューラ記憶部１５０に登録する（ステップ１０５）。
【００５８】
着信課金制御サーバ２００は、登録・削除部２２０を介して、Ｗｅｂメールサーバ１００から着信課金用番号（ex：0120−xxx−xxx）と宛先の発信者電話番号（ex：03−yyyy−yyyy）を着信課金発信者登録ＤＢ２８０に登録する（ステップ１０６）。
【００５９】
Ｗｅｂメールサーバ１００の送受信Ｉ／Ｆ１１０は、利用者Ｂの端末Ｂ５００にステップ１０４で取得した着信課金用番号（ex：0120−xxx−xxx）を付加したメールを、メール送受信Ｉ／Ｆ１２０を介して送信する（ステップ１０７）。
【００６０】
利用者Ｂはメールを確認し、端末Ｂ５００内の電話発信機能を用いてメール中に記述された着信課金用番号（ex：0120−xxx−xxx）をクリックする、または、端末Ｂ５００とは独立の電話機を用いてダイヤルすることにより呼処理装置３００に対して発呼要求する（ステップ１０８）。
【００６１】
呼処理装置３００は、着信課金用番号（ex：0120−xxx−xxx）の着信先の電話番号が着信課金制御サーバ２００に登録されているか問い合わせる（ステップ１０９）。着信課金制御サーバ２００は、検索部２４０において呼処理装置３００から取得した着信課金用番号（ex：0120−xxx−xxx）と発信者電話番号に基づいて着信課金発信者登録ＤＢ２８０を検索し、対応する発信者電話番号があれば、着信課金用電話番号に基づいて着信課金電話番号変換ＤＢ２６０を検索し、対応する着信電話番号を取得して（ステップ１１０）、呼処理装置３００に応答する（ステップ１１１）。なお、発信者電話番号が着信課金発信者登録ＤＢ２８０に登録されていない場合、着信課金用番号に対応する利用者Ａ（着信者）の電話番号が検索できない場合には、その旨を呼処理装置３００に通知することにより、呼処理装置３００は以降の処理を停止することが可能である。
【００６２】
呼処理装置３００は、電話番号Ａを持つ端末Ａに着呼通知する（ステップ１１２）。利用者Ａが応答することにより、端末Ａと端末Ｂの間の通話が開始される（ステップ１１３）。通話の後、切断されると、呼処理装置３００は、通話料金計算のため発信者電話番号（ex：03−yyyy−yyyy）と着信課金用番号（ex：0120−xxx−xxx）、通話時刻情報（通話開始時刻・通話終了時刻）を着信課金制御サーバ２００に通知する（ステップ１１４）。
【００６３】
着信課金制御サーバ２００は、課金部２４０において、呼処理装置３００から受け取った情報を課金ＤＢ２７０に格納し（ステップ１１５）、課金部２４０は、所定のタイミングで、課金ＤＢ２７０の着信課金用電話番号に対応する着信者に対する課金処理を行う（ステップ１１６）。なお、着信課金用電話番号に対応する着信者電話番号は、着信課金電話番号変換ＤＢ２６０を参照すればよい。
【００６４】
Ｗｅｂメールサーバ１００の発信者登録・削除部１３０は、着信課金発信者削除スケジューラ記憶部１５０に登録されている有効期限になると、登録削除Ｉ／Ｆ１９０を介して着信課金制御サーバ２００に対して、当該利用者Ｂの電話番号（発信者電話番号）の削除要求を送信する（ステップ１１７）。
【００６５】
着信課金制御サーバ２００は、電話番号削除要求を受信すると、登録・削除部２２０は、着信課金発信者登録ＤＢ２８０から受信した利用者Ｂの電話番号（発信者電話番号）と着信課金用番号の組のレコードを削除する（ステップ１１８）。
【００６６】
[第２の実施の形態]
前述の第１の実施の形態では、受信者となる利用者Ａからメール本文、宛先（発信者電話番号）及び着信課金の有効期限を指定して、メールをＷｅｂメールサーバ１００で作成していたが、本実施の形態では、Ｗｅｂメールサーバ１００が着信課金制御サーバ２００に対する登録・削除のみを行い、メールの送受信は端末で行う例を示す。
【００６７】
システム構成及び各サーバ等の構成は第１の実施の形態と同様であるのでその説明は省略するが、着信側の端末Ａ４００は、着信課金の有効期限、相手の連絡先（発信者の電話番号、メールアドレス）をＷｅｂメールサーバ１００に登録可能であり、かつ、Ｗｅｂメールサーバ１００から送信される着信課金用電話番号が含まれる着信課金案内をメール中に設定可能なメールソフトを利用するものとする。
【００６８】
図１５は、本発明の第２の実施の形態における動作のシーケンスチャートである。
【００６９】
まず、利用者Ａが、本サービスを受けるためにアクセスすることにより、Ｗｅｂメーサーバ１００には、端末Ａ４００から利用者Ａのメールアドレスとパスワードが端末Ｉ／Ｆ１１０を介して入力される（ステップ２０１）。端末Ａは認証に成功すると、図１６に示すような有効期限の設定を可能とする画面を表示する。利用者Ａは当該着信案内の設定画面に、発信者（利用者Ｂ）のメールアドレスと着信課金を有効にするための有効期限を入力すると共に、「着信課金に招待する」ボタンをクリックする（ステップ２０２）。これにより、Ｗｅｂメールサーバ１００は、取得した利用者Ａのメールアドレスとパスワードに基づいて利用者ＤＢ１４０の内容と照合することにより、利用者Ａを識別・認証し、利用者Ａのメールアドレスと利用者Ｂのアドレスに基づいて利用者ＤＢ１４０を検索して、着信課金用電話番号と発信者電話番号を取得する（ステップ２０３）。発信者登録・削除部１３０は、利用者Ｂの電話番号と着信課金用電話番号を着信課金制御サーバ２００に送信する（ステップ２０４）。
【００７０】
着信課金制御サーバ２００は、受信した宛先電話番号と着信課金用電話番号を着信課金発着信ＤＢ２８０に登録する（ステップ２０５）。
【００７１】
また、Ｗｅｂメールサーバ１００の発信者登録・削除部１３０は、宛先の電話番号（発信者電話番号）と有効期限を着信課金発信者削除スケジューラ記憶部１５０に登録する（ステップ２０６）。
【００７２】
Ｗｅｂメールサーバ１００のメール作成・送受信部１７０は、着信課金用電話番号を含む図１６に示すような着信課金案内を端末Ａ４００に送信し、端末Ａは、着信課金案内欄にそのメッセージを表示する（ステップ２０７）。これにより利用者Ａは、メール本文を記載し（ステップ２０８）、送信指示することで、通常のメールと同様に利用者Ｂの宛先アドレスに対して当該メールが送信される（ステップ２０９）。
【００７３】
以降の処理は、第１の実施の形態のステップ１０８以降と同様であるので、説明は省略する。
【００７４】
［第３の実施の形態］
本実施の形態は、前述の第１の実施の形態における、Ｗｅｂメールサーバ１００内において、有効期限を保持せず、着信課金サーバ２００側で、呼処理装置３００から通話終了後に発着信通知を受信した時点で着信課金発信者ＤＢから発信者電話番号を削除するものである。
【００７５】
Ｗｅｂメールサーバ１００の構成は、図１７に示すように、図５の構成から着信課金発信者削除スケジューラ記憶部１５０を除いた構成となる。他の構成については同様であるが、処理が異なる。
【００７６】
図１８は、本発明の第３の実施の形態における動作のシーケンスチャートであり、図１３の動作におけるステップ１０５、ステップ１１８の処理を省いたものである。
【００７７】
図１３に示す第１の実施の形態における動作とは、ステップ１０３において、利用者Ａは、有効期限の設定は行わず、宛先と本文をＷｅｂメールサーバ１００に渡す（ステップ１０３'）。これにより、Ｗｅｂメールサーバ１００では、図１３のステップ１０５の処理は実行しない。着信課金制御サーバ２００では、Ｗｅｂメールサーバ１００からの指示により着信課金発信者登録ＤＢ２８０から発信者を削除するのではなく、ステップ１１５において、呼処理装置３００から電話番号、通話開始・終了の通知が送信された時点で削除する（ステップ１１９'）。
【００７８】
［第４の実施の形態］
本実施の形態は、前述の第２の実施の形態における、Ｗｅｂメールサーバ１００内において、有効期限を保持せず、着信課金サーバ２００側で、呼処理装置３００から通話終了後に発着信通知を受信した時点で着信課金発信者ＤＢから発信者電話番号を削除するものである。
【００７９】
Ｗｅｂメールサーバ１００の構成は、第３の実施の形態の図１７の構成と同様である。
【００８０】
図１９は、本発明の第４の実施の形態における動作のシーケンスチャートであり、図１５の動作におけるステップ２０５、ステップ１１８の処理を省いたものである。
【００８１】
図１５に示す第１の実施の形態における動作とは、ステップ２０２において、利用者Ａは、有効期限の設定は行わず、Ｗｅｂメールサーバ１００においても、着信課金発信者削除スケジューラ記憶部１５０に有効期限の登録は行わない。着信課金制御サーバ２００では、Ｗｅｂメールサーバ１００からの指示により着信課金発信者登録ＤＢ２８０から発信者を削除するのではなく、ステップ１１５において、呼処理装置３００から電話番号、通話開始・終了の通知が送信された時点で削除する（ステップ１１９'）。
【００８２】
上記の第３及び第４の実施の形態によれば、着信課金の回数を限定することができるため、設定時間内に何回もの通話を着信者が負担しなくてはならない事態を防ぐことができる。
【００８３】
[第５の実施の形態]
本実施の形態では、上記の実施の形態をＳＮＳ(Social Network Service)に適用した例を説明する。
【００８４】
上記の第１〜第４の実施の形態では、着信者の端末Ａにおいてメールの画面から入力する例を示したが、本実施の形態では、図２０に示すようなＳＮＳメッセージ作成画面から設定する。ＳＮＳの場合には、着信課金有効期限を設定するのみで、送信先についてはＳＮＳに登録済みのものを使用するため、宛先電話番号の設定は不要である。
【００８５】
他の動作については上記の実施の形態と同様であるのでその説明は省略する。
【００８６】
本発明は、メールを受信した電話の発信者が、任意のメール発信元の電話番号（着信課金用電話番号）をクリック、またはダイヤルすることで着信者課金で通話することができる。また、本発明では、着信課金の有効期限を発信者毎に任意に設定することができ、一度有効期限を登録しておくことにより、当該有効期限が経過すれば自動的に削除することができる。
【００８７】
なお、上記の図５、図１７に示すＷｅｂメールサーバ、図９に示す着信課金制御サーバの各構成要素の動作、及び呼処理装置（交換機）の動作をそれぞれプログラムとして構築することにより、それぞれのサーバとして利用されるコンピュータにインストールして実行させる、または、ネットワークを介して流通させることが可能である。
【００８８】
また、構築されたプログラムをハードディスクや、フレキシブルディスク・ＣＤ−ＲＯＭ等の可搬記憶媒体に格納しておき、本発明を実施する際に、コンピュータにインストールする、または、配布することが可能である。
【００８９】
なお、本発明は、上記の実施の形態に限定されることなく、特許請求の範囲内において種々変更・応用が可能である。
【産業上の利用可能性】
【００９０】
本発明は、Ｗｅｂブラウザ機能及び電話機能を有する端末及び、一般のＰＣと電話機の組み合わせによるシステムにおいて着信課金を行う技術に適用可能である。すなわち、本文中の「利用者端末」は、Ｗｅｂブラウザ機能と電話機能が物理的に切り離されていても適用可能である。また、本文中の「通信網」及び「呼処理装置」の組み合わせは、「電話網」及び「交換機」でもよいし、「ＩＰ網」及び「ＳＩＰサーバ」でもよいため、ＩＰ電話にも適用可能である。
【図面の簡単な説明】
【００９１】
【図１】本発明の原理構成図である。
【図２】本発明の原理を説明するための図である。
【図３】本発明の第１の実施の形態における動作の概要を説明するための図である。
【図４】本発明の第１の実施の形態におけるシステム構成図である。
【図５】本発明の第１の実施の形態におけるＷｅｂメールサーバの構成図である。
【図６】本発明の第１の実施の形態における利用者ＤＢのデータ例である。
【図７】本発明の第１の実施の形態における着信課金発信者削除スケジューラ記憶部のデータ例である。
【図８】本発明の第１の実施の形態におけるサービス利用者電話帳ＤＢのデータ例である。
【図９】本発明の第１の実施の形態における着信課金制御サーバの構成図である。
【図１０】本発明の第１の実施の形態における着信課金電話番号変換ＤＢのデータ例である。
【図１１】本発明の第１の実施の形態における課金ＤＢのデータ例である。
【図１２】本発明の第１の実施の形態における着信課金発信者登録ＤＢのデータ例である。
【図１３】本発明の第１の実施の形態における動作のシーケンスチャートである。
【図１４】本発明の第１の実施の形態における着信者側の利用者に提示されるメール作成イメージである。
【図１５】本発明の第２の実施の形態における動作のシーケンスチャートである。
【図１６】本発明の第２の実施の形態における着信者側の利用者に提示されるメール作成イメージである。
【図１７】本発明の第３の実施の形態におけるＷｅｂメールサーバの構成図である。
【図１８】本発明の第３の実施の形態における動作のシーケンスチャートである。
【図１９】本発明の第４の実施の形態における動作のシーケンスチャートである。
【図２０】本発明の第５の実施の形態におけるＳＮＳメッセージ作成画面の例である。
【符号の説明】
【００９２】
１００  Ｗｅｂメールサーバ
１１０  端末用インタフェース
１２０  メール送信手段、メール送受信インタフェース
１３０  発信者登録・削除手段、発信者登録・削除部
１３２  発信者削除要求手段
１４０  利用者ＤＢ
１５０  着信課金発信者削除スケジュール記憶手段、着信課金発信者削除スケジューラ記憶部
１６０  サービス利用者電話帳ＤＢ
１７０  メール作成・送受信部
１８０  メール制御部
１９０  登録削除インタフェース
２００  着信課金制御サーバ
２１０  呼処理装置用インタフェース
２２０  着信課金発信者制御手段、登録・削除部
２３０  検索手段、検索部
２４０  課金手段、課金部
２６０  着信課金電話番号変換記憶手段、着信課金電話番号変換ＤＢ
２７０  課金ＤＢ
２８０  着信課金発信者記憶手段
２９０  登録削除用インタフェース
３００  呼処理装置
４００  着信者端末
５００  発信者端末
【図１】
0004931849.tif 000002
【図２】
0004931849.tif 000003
【図３】
0004931849.tif 000004
【図４】
0004931849.tif 000005
【図５】
0004931849.tif 000006
【図６】
0004931849.tif 000007
【図７】
0004931849.tif 000008
【図８】
0004931849.tif 000009
【図９】
0004931849.tif 000010
【図１０】
0004931849.tif 000011
【図１１】
0004931849.tif 000012
【図１２】
0004931849.tif 000013
【図１３】
0004931849.tif 000014
【図１４】
0004931849.tif 000015
【図１５】
0004931849.tif 000016
【図１６】
0004931849.tif 000017
【図１７】
0004931849.tif 000018
【図１８】
0004931849.tif 000019
【図１９】
0004931849.tif 000020
【図２０】
0004931849.tif 000021